(57)【特許請求の範囲】
【請求項１】
外部に向かって開口した挿入口から手を抜き差しできる乾燥室と、前記乾燥室の底部にドレン容器を設けた水受け部と、前記水受け部に向けて空気を送出するノズル部と、前記ノズル部から空気を送出するファンモータを備えた手乾燥装置であって、前記ドレン容器の内壁面に、内方に開口した凹形状で、前記ドレン容器内の水が入り込み、満水の位置を表示する排水表示部を設けたことを特徴とする手乾燥装置。
【請求項２】
排水表示部を、直線状の凹形状からなる直線排水表示部としたことを特徴とする請求項１記載の手乾燥装置。
【請求項３】
直線排水表示部を、破断直線状の凹形状からなる破断直線排水表示部としたことを特徴とする請求項２記載の手乾燥装置。
【請求項４】
直線排水表示部を、直線に突起を設けた形状の凹形状からなる突起直線排水表示部としたことを特徴とする請求項２記載の手乾燥装置。
【請求項５】
破断直線排水表示部を、多角形状の凹形状で破断直線状に形成した破断多角直線排水表示部としたことを特徴とする請求項３記載の手乾燥装置。
【請求項６】
排水表示部の周囲を、ドレン容器の前面側に凸形状にしたことを特徴とする請求項１〜５のいずれかに記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
洗浄後の濡れた手を乾燥させる装置として、高速の空気により手に付着した水滴を吹き飛ばし乾燥させる手乾燥装置が知られている（例えば、特許文献１参照）。
【０００３】
以下、その手乾燥装置について、図９を参照しながら説明する。
【０００４】
図に示すように、上部ケーシング１０１に連なる吸気路１０２と、この吸気路１０２に連なる顎部１０３から成り、上部ケーシング１０１には送風手段１０４と、この送風手段１０４から連通した送風路１０５の末端で上部ケーシング１０１の前面下部近傍に突出した吹出ノズル１０６を備え、この吹出ノズル１０６の下方に乾燥空間１０７を介して、吹出ノズル１０６からの風を前端近傍で受ける風受け面１０８を上面に有した顎部１０３を備えた手乾燥装置であって、乾燥空間１０７は、上部ケーシング１０１下部より吸気路１０２を介して、滑らかに垂れ下がりながら顎部１０３に至り、下側手前に湾曲して立ち上がり、側面視で略Ｃ形状を成した風旋回面１０９で形成され、この風旋回面１０９の左右両側端に立ち上がり部１１０を設けるとともに、風旋回面１０９の最底部で、左右両側端の立ち上がり部１１０近傍にドレン孔１１１を設け、ドレン孔１１１から水滴を受ける水受けカップ１１２を本体１１３に着脱可能に設け、水受けカップ１１２内にフローセンサ１１４を設け、満水状態位置を設定し、満水状態になった時、その信号を受けて満水状態を表示する表示部（ＬＥＤ）１１５を上部ケーシング１０１の前面に設けている。
【０００５】
上記構成において、水受けカップ１１２が満水になると表示部１１５で満水であることを表示するようになっている。
【特許文献１】特許第３４８８０６６号公報
【発明の開示】
【発明が解決しようとする課題】
【０００６】
このような従来の手乾燥装置では、満水であることを検知および表示するために、フローセンサと表示部を設ける必要があり、部品点数が多くなりコストがかかるという課題がある。
【０００７】
本発明は、このような従来の課題を解決するものであり、部品点数が少なくコストがかからない構成でドレン容器の排水すべき量を容易に確認することができ、ドレン容器の水を溢れだすことなく確実に排水処理することができるという手乾燥装置を提供することを目的とする。
【課題を解決するための手段】
【０００８】
本発明の手乾燥装置は、上記目的を達成するために、外部に向かって開口した挿入口から手を抜き差しできる乾燥室と、前記乾燥室の底部にドレン容器を設けた水受け部と、前記水受け部に向けて空気を送出するノズル部と、前記ノズル部から空気を送出するファンモータを備えた手乾燥装置であって、前記ドレン容器の内壁面に、内方に開口した凹形状で、前記ドレン容器内の水が入り込み、満水の位置を表示する排水表示部を設けたものである。
【０００９】
また、他の手段は、排水表示部を、直線状の凹形状からなる直線排水表示部としたものである。
【００１０】
また、他の手段は、直線排水表示部を、破断直線状の凹形状からなる破断直線排水表示部としたものである。
【００１１】
また、他の手段は、直線排水表示部を、直線に突起を設けた形状の凹形状からなる突起直線排水表示部としたものである。
【００１２】
また、他の手段は、破断直線排水表示部を、多角形状の凹形状で破断直線状に形成した破断多角直線排水表示部としたものである。
【００１３】
また、他の手段は、排水表示部の周囲を、ドレン容器の前面側に凸形状にしたものである。
【発明の効果】
【００１４】
本発明によれば、外部に向かって開口した挿入口から手を抜き差しできる乾燥室と、前記乾燥室の底部にドレン容器を設けた水受け部と、前記水受け部に向けて空気を送出するノズル部と、前記ノズル部から空気を送出するファンモータを備えた手乾燥装置であって、前記ドレン容器の内壁面に、内方に開口した凹形状で、前記ドレン容器内の水が入り込み、満水の位置を表示する排水表示部を設けたことにより、部品点数が少なくコストがかからない構成でドレン容器の排水すべき量を容易に確認することができ、ドレン容器の水を溢れだすことなく確実に排水処理することができるという効果のある手乾燥装置を提供することができる。
【００１５】
また、排水表示部を、直線状の凹形状からなる直線排水表示部としたことにより、ドレン容器の排水すべき量を正確に容易に確認することができ、ドレン容器の水を溢れだすことなく確実に排水処理することができるという効果のある手乾燥装置を提供することができる。
【００１６】
また、直線排水表示部を、破断直線状の凹形状からなる破断直線排水表示部としたことにより、ドレン容器の排水すべき量を正確により容易に確認することができ、ドレン容器の水を溢れだすことなく確実に排水処理することができるという効果のある手乾燥装置を提供することができる。
【００１７】
また、直線排水表示部に、直線に突起を設けた形状の凹形状からなる突起直線排水表示部としたことにより、ドレン容器の排水すべき量をより容易に確認することができ、ドレン容器の水を溢れだすことなく確実に排水処理することができるという効果のある手乾燥装置を提供することができる。
【００１８】
また、破断直線排水表示部を、多角形状の凹形状で破断直線状に形成した破断多角直線排水表示部としたことにより、ドレン容器の排水すべき量をより容易に確認することができ、ドレン容器の水を溢れだすことなく確実に排水処理することができるという効果のある手乾燥装置を提供することができる。
【００１９】
また、排水表示部の周囲を、ドレン容器の前面側に凸形状にしたことにより、ドレン容器の排水すべき量を容易に確認することができ、ドレン容器の水を溢れだすことなく確実に排水処理することができるという効果のある手乾燥装置を提供することができる。
【発明を実施するための最良の形態】
【００２０】
本発明の請求項１記載の手乾燥装置は、外部に向かって開口した挿入口から手を抜き差しできる乾燥室と、前記乾燥室の底部にドレン容器を設けた水受け部と、前記水受け部に向けて空気を送出するノズル部と、前記ノズル部から空気を送出するファンモータを備えた手乾燥装置であって、前記ドレン容器の内壁面に、内方に開口した凹形状で、前記ドレン容器内の水が入り込み、満水の位置を表示する凹形状の排水表示部を設けたこととしたものであり、排水表示部の凹形状部に水が入り込んで、光の屈折がおき、排水表示部がくっきりと表示されるという作用を有する。
【００２１】
また、排水表示部を、直線状の凹形状からなる直線排水表示部としたこととしたものであり、排水表示部の直線状の凹形状部に水が入り込んで、光の屈折がおき、排水表示部が直線状にくっきりと表示されるという作用を有する。
【００２２】
また、直線排水表示部を、破断直線状の凹形状からなる破断直線排水表示部としたこととしたものであり、排水表示部の直線状の破断状の凹形状部の各々に水が入り込んで、各々の凹形状部が相互的に光の屈折がおき、排水表示部が直線状によりくっきりと表示されるという作用を有する。
【００２３】
また、直線排水表示部を、直線に突起を設けた形状の凹形状からなる突起直線排水表示部としたこととしたものであり、排水表示部の多角形状の凹形状部に水が入り込んで、各頂点による光の屈折がおき、排水表示部がくっきりと表示されるという作用を有する。
【００２４】
また、破断直線排水表示部を、多角形状の凹形状で破断直線状に形成した破断多角直線排水表示部としたこととしたものであり、排水表示部の多角形状の破断状の凹形状部の各々に水が入り込んで、各々の凹形状部が更に相互的に光の屈折がおき、排水表示部が直線状によりくっきりと表示されるという作用を有する。
【００２５】
また、排水表示部の周囲を、ドレン容器の前面側に凸形状にしたこととしたものであり、排水表示部が周囲に対して色合いが異なり、浮き上がって見えるという作用を有する。
【００２６】
以下、本発明の実施の形態について、図面を参照しながら説明する。
【００２７】
（実施の形態１）
図１に示すように、本体１の下部に乾燥室２を形成し、乾燥室２は、濡れた手を抜き差しできるよう外部に向かって開口した挿入口３を有した凹状の空間に形成している。乾燥室２の上方には、ノズル部４が形成されており、本体１は、本体ケース５で覆われており、内部には高圧空気発生装置６が設置されている。乾燥室２の上面奥側には、着脱可能なエアーフィルター７を備えた吸気口８を設け、高圧空気発生装置６のファンモータ９によって、吸気口８から吸い込まれた乾燥室２内の空気は、エアーフィルター７を通って高圧空気発生装置６のファンモータ９を通り、ノズル部４より乾燥室２に向かって吹き出される。吹き出された高圧の空気は手に付着した水滴を吹き飛ばして手を乾燥させる。乾燥室２の底部には、吹き飛ばされた手に付着した水滴を受け止める水受け部１０を設け、この水受け部１０には水受け部１０に付着した水滴を排水する排水部１１を設け、この排水部１１の下部には、水滴を受容するドレン容器１２が着脱可能に設けている。高圧空気流発生装置６から送られてくる高圧の空気は、ノズル部４の手前に設けられたヒーター１３を通過して加熱された後、ノズル部４から乾燥室２に吹き出す。
【００２８】
また、図２に示すように、水受け部１０は、水受け底部１０ａと水受けかえり部１０ｂとからなる２部品で構成される。水受けかえり部１０ｂは、前面を構成する水受け前面部１０ｃと側面を構成する水受け側面部１０ｄとで構成され、水受け底部１０ａと水受けかえり部１０ｂとは、水受け側面部１０ｄにて爪またははめ込みの構造となっており、結果、水受け底部１０ａと水受けかえり部１０ｂとを工具などを使うことなく手で容易に取り付けや取り外しできるような構造となっている。
【００２９】
上記構成により、手を乾燥する際、飛び散った水滴は水受け底部１０ａと水受けかえり部１０ｂからなる２部品で構成された水受け部１０に付着し、容易に取り外して水洗い等で清掃ができるので、水受け部１０の美観を保つことができる。
【００３０】
また、図３に示すように、水受け部１０の２部品、水受け底部１０ａと水受けかえり部１０ｂのうち、水受けかえり部１０ｂに、水受け部１０から排水された水滴を貯留するドレン容器１２を設けている。ドレン容器１２は、水受けかえり部８ｂと嵌め合わせる構造としている。
【００３１】
上記構成により、手を乾燥する際飛び散った水は２部品で構成された水受け部１０に付着し、水受け部１０に付着した水滴は排水部１１を通ってドレン容器１２に貯留する。清掃する場合は、水受け前面部１０ｃを手で引っ張り、水受けかえり部１０ｂに取り付けられたドレン容器１２ごと一緒に取り外す。ドレン容器１２は洗面所等にて、水受けかえり部１０ｂとともに一緒に丸洗いできる。水受け底部１０ａは、布などで容易に拭くことができ、２部品の水受け底部８ａと水受けかえり部８ｂの間に溜まった水垢などの汚れも容易にふき取ることができ、水受け部８の美観を保ちつつ、ドレン容器１２も設けることができる。
【００３２】
また、図４および図５に示すように、ドレン容器１２の水滴の溜まる内側に満水の位置を表示する凹形状１４に形成した排水表示部を設け、排水表示部を直線状の直線排水表示部１５とし、直線排水表示部１５の周囲を、水滴の溜まる内側から外側に向けて凸形状１６すなわち前面側に凸形状１６にした構成とする。
【００３３】
上記構成により、凹形状１４に形成した直線排水表示部１５にドレン容器１２に溜まった水滴すなわち水が入り込み、入り込んだ水に本体１外の日光あるいは照明の光が入り、直線排水表示部１５内の水中で光が屈折され直線排水表示部１５外に出てくるが、直線排水表示部１５の周囲とでは屈折の仕方が異なるため、直線排水表示部１５のみが周囲と比べくっきりと区別されて表示される。
【００３４】
また、排水表示部を直線状の凹形状１４を有する直線排水表示部１５にすることで、直線排水表示部１５が直線状に周囲と比べくっきりと表示されるので、ドレン容器１２が満水になって排水すべき量になる量を正確に容易に確認することができ、ドレン容器１２の水を溢れだすことなく確実に排水処理することができる。
【００３５】
なお、直線排水表示部１５が周囲と比べくっきりと表示されると記載したが、入り込んだ水に本体１外の日光あるいは照明の光のあたり方により、一例として、ほぼ正面からあたった場合は、濃いグレーに、側面、背面等周囲からあたった場合は、明るく発光（例えば、白）する。
【００３６】
また、直線排水表示部１５の周囲を、水滴の溜まる内側に対して凹形状、すなわち前面側に凸形状１６にしたので、周囲に対して色合いが異なる直線排水表示部１５が、浮き上がって見えるようなる。
【００３７】
このように本発明の実施の形態１の手乾燥装置によれば、部品点数が少なくコストがかからない構成でドレン容器１２の排水すべき量を容易に確認することができ、ドレン容器１２の水を溢れだすことなく確実に排水処理することができることとなる。
【００３８】
（実施の形態２）
図６において、実施の形態１と異なるところは、直線排水表示部１５を、破断状の破断直線排水表示部１７とした点である。
【００３９】
上記構成により、破断直線排水表示部１７の凹形状部１８の各々に水が入り込み、入り込んだ水に本体外の日光あるいは照明の光が入り、破断直線排水表示部１７内の水中で光が屈折され破断直線排水表示部１７外に出てくるが、各々の凹形状部１８がそれ自体あるいは隣同士で相互的に光の屈折がおき、破断直線排水表示部１７の周囲と屈折の仕方が異なるため、破断直線排水表示部１７のみが周囲と比べ直線状に破断的にくっきりと区別されて表示される。
【００４０】
このように本発明の実施の形態２の手乾燥装置によれば、ドレン容器１２の排水すべき量を正確により容易に確認することができ、ドレン容器１２の水を溢れだすことなく確実に排水処理することができることとなる。
【００４１】
（実施の形態３）
図７において、実施の形態１と異なるところは、直線排水表示部１５に、突起を設けた突起直線排水表示部１９とした点である。
【００４２】
上記構成により、突起を設けた突起直線排水表示部１９の凹形状に水が入り込み、入り込んだ水に本体外の日光あるいは照明の光が入り、突起直線排水表示部１９内の水中で光が屈折され突起直線排水表示部１９外に出てくるが、突起直線排水表示部１９の突起にあたる各突起部２０がそれ自体あるいは隣同士で相互的に光の屈折がおき、突起直線排水表示部１９の周囲と屈折の仕方が異なるため、突起直線排水表示部１９のみが周囲と比べ多角的にくっきりと区別されて表示される。
【００４３】
このように本発明の実施の形態３の手乾燥装置によれば、ドレン容器１２の排水すべき量をより容易に確認することができ、ドレン容器１２の水を溢れだすことなく確実に排水処理することができることとなる。
【００４４】
（実施の形態４）
図８において、実施の形態２と異なるところは、破断直線排水表示部１７を、多角形状の破断多角直線排水表示部２１とした点である。
【００４５】
上記構成により、破断多角直線排水表示部２１の凹形状に水が入り込み、入り込んだ水に本体外の日光あるいは照明の光が入り、破断多角直線排水表示部２１内の水中で光が屈折され破断多角直線排水表示部２１外に出てくるが、破断された破断多角直線排水表示部２１の多角形すなわち多角形部２２がそれ自体あるいは隣同士で相互的に光の屈折がおき、破断多角直線排水表示部２１の周囲と屈折の仕方がそれぞれ相互的に異なるため、破断多角直線排水表示部２１のみが周囲と比べ多角的にくっきりと区別されて表示される。
【００４６】
なを、多角形部とは、三角形や四角形等頂点をもつ形状ならなんでもよい。
【００４７】
このように本発明の実施の形態４の手乾燥装置によれば、ドレン容器１２の排水すべき量をより容易に確認することができ、ドレン容器１２の水を溢れだすことなく確実に排水処理することができることとなる。
【産業上の利用可能性】
【００４８】
本発明の手乾燥装置は、レストランやホテルなどの洗面所やトイレに設置され、また病院や手術室や調理場においても適用できる。
【図面の簡単な説明】
【００４９】
【図１】本発明の実施の形態１の手乾燥装置の側面断面図
【図２】同手乾燥装置の斜視図
【図３】同手乾燥装置の側面断面図
【図４】同手乾燥装置のドレン容器の裏側斜視図
【図５】同手乾燥装置のドレン容器の構成図
【図６】本発明の実施の形態２の手乾燥装置の排水表示部の拡大正面図
【図７】本発明の実施の形態３の手乾燥装置の排水表示部の拡大正面図
【図８】本発明の実施の形態４の手乾燥装置の排水表示部の拡大正面図
【図９】従来の手乾燥装置の側面構成図
【符号の説明】
【００５０】
２  ・・乾燥室
３  ・・挿入口
４  ・・ノズル部
９  ・・ファンモータ
１０・・水受け部
１２・・ドレン容器
１４・・凹形状
１５・・直線排水表示部
１６・・凸形状
１７・・破断直線排水表示部
１９・・突起直線排水表示部
２１・・破断多角直線排水表示部
【要約】
【課題】部品点数が少なくコストがかからない構成でドレン容器の排水すべき量を容易に確認することができ、ドレン容器の水を溢れだすことなく確実に排水処理することができるという手乾燥装置を提供することを目的とする。
【解決手段】外部に向かって開口した挿入口から手を抜き差しできる乾燥室と、前記乾燥室の底部にドレン容器１２を設けた水受け部と、前記水受け部に向けて空気を送出するノズル部と、前記ノズル部から空気を送出するファンモータを備えた手乾燥装置であって、前記ドレン容器の内側に満水の位置を表示する凹形状の排水表示部１４を設けたことにより、ドレン容器１２の排水すべき量を容易に確認することができ、ドレン容器１２の水を溢れだすことなく確実に排水処理することができる手乾燥装置を提供できる。
【選択図】図４【図１】
0004196015.tif 000002
【図２】
0004196015.tif 000003
【図３】
0004196015.tif 000004
【図４】
0004196015.tif 000005
【図５】
0004196015.tif 000006
【図６】
0004196015.tif 000007
【図７】
0004196015.tif 000008
【図８】
0004196015.tif 000009
【図９】
0004196015.tif 000010